(57)【要約】【課題】  歯列矯正用ワイヤを矯正の目的に合った所望の形状に屈曲して調整する作業を容易にすう。【解決手段】  歯Ｔの舌側面に固定したブラケットＢに組み込む山型状の歯列矯正用ワイヤ１において、２個以上の歯のブラケットを一つのグループとして直線１１で結び、隣接する各グループの直線間に屈曲角部１０を配することにより山型を構成する。【選択図】      図３
2016198503.tif 000002
【特許請求の範囲】
【請求項１】
歯の舌側面に固定したブラケットに組み込む山型状の歯列矯正用ワイヤにおいて、２個以上の歯のブラケットを一つのグループとして直線で結び、隣接する各グループの直線間に屈曲角部を配することにより山型を構成したことを特徴とする歯列矯正用ワイヤ。
【請求項２】
左方の中切歯と側切歯のそれぞれに固定したブラケットを左方第１グループ、左方の犬歯、小臼歯、大臼歯のそれぞれに固定したブラケットを左方第２グループ、右方の中切歯と側切歯のそれぞれに固定したブラケットを右方第１グループ、右方の犬歯、小臼歯、大臼歯のそれぞれに固定したブラケットを右方第２グループとし、各グループ間のブラケットを直線で結ぶとともに、隣接する各グループの直線間に屈曲角部を配することにより山型を構成した請求項１記載の歯列矯正用ワイヤ。
【請求項３】
左右の各中切歯のそれぞれに固定したブラケットを前方第１グループ、左方の側切歯と犬歯のそれぞれに固定したブラケットを左方第１グループ、左方の小臼歯、大臼歯のそれぞれに固定したブラケットを左方第２グループ、右方の側切歯と犬歯のそれぞれに固定したブラケットを右方第１グループ、右方の小臼歯、大臼歯のそれぞれに固定したブラケットを右方第２グループとし、各グループ間のブラケットを直線で結ぶとともに、隣接する各グループの直線間に屈曲角部を配することにより山型を構成した請求項１記載の歯列矯正用ワイヤ。
【発明の詳細な説明】
【技術分野】
【０００１】
この発明は、歯の裏側に固定したブラケットに連結することにより歯並びを矯正するための金属製の歯列矯正用ワイヤに関する。
【背景技術】
【０００２】
不整な歯列を矯正するために、歯の裏側( 舌側) に固定したブラケットに金属製の歯列矯正用ワイヤを連結し、ワイヤの復元力により各歯に移動方向または回転方向のテンションをかけて所望の歯列を実現する歯科技術が公知である（例えば特許文献１、２）。
【０００３】
前記歯科技術においては、各歯が矯正後の目標とする歯列の各位置まで移動するようにワイヤの復元力により歯を押圧、引き戻し、回転させる。そのために、矯正後の目標とする歯列を仮想して作成した歯形模型であるセットアップ模型の各模型歯の裏側に固定したブラケットに連結可能な形状にワイヤを構成する作業が必要であった。すなわち、矯正後の目標とする歯列においてはワイヤにはなんらのテンションも加わらず本来の形状を維持しているが、このワイヤを患者の矯正前の歯列における各歯の裏側に固定したブラケットに連結した場合はワイヤが変形し、本来の形状を維持しようとする復元力により各歯に移動方向または回転方向のテンションをかけて歯を押圧、引き戻し、回転させる。
【０００４】
前記のセットアップ模型は患者から採取した歯形印象に基づいて作成した歯形模型から、各模型歯を切り取り、これを矯正後の目標とする歯列を仮想して並べ直したものであり、この模型歯列の裏側に沿った形状にワイヤが折り曲げられる。
【０００５】
前記したようにワイヤは患者の歯の裏側に固定したブラケットに固定され、復元力により各歯に移動方向または回転方向のテンションをかけて所望の歯列を実現するものであり、その機能を実現するために歯列の裏側に沿った形状としなくてはならず、次の２種のものが公知であった。
【０００６】
その１は臼歯箇所を直線状に、前歯箇所を湾曲させたアーチ形状のワイヤで例えば特許文献１に開示されているようなものであり、その２は臼歯箇所を直線状に、前歯箇所を湾曲させているが歯の裏面によって形作られる湾曲に沿うように犬歯と小臼歯間をオフセットさせたマッシュルーム形状のワイヤで例えば特許文献２に開示されているようなものである。
【先行技術文献】
【特許文献】
【０００７】
【特許文献１】特許第５４６６１２１号公報
【特許文献２】特許第３１１８２１３号公報
【発明の開示】
【発明が解決しようとする課題】
【０００８】
前記の歯列矯正用ワイヤは左右の中切歯、側切歯、犬歯からなる前歯箇所においては、それらの裏面がなす形状が湾曲形状なので、湾曲形状としている。
【０００９】
ところで、歯列の矯正治療に際しては、各歯が矯正後の目標とする歯列の各位置まで移動するようにワイヤの復元力により歯を押圧、引き戻し、回転させるのであるが、これらの作用は一度に実現されるものではなく、作用は時間をかけて段階的に進行していく。よって、歯科医師はワイヤを患者の歯に施した後に定期的に診察し、各歯の移動状況に応じて、ワイヤの太さを変えたり形を変えたりする調整作業をしなければならない。
【００１０】
この場合、太さを違えたワイヤを作り直すにしろ、形状を微妙に変えたワイヤを作りなおすにしろ、その作業は大変難しく豊富な経験や勘、長い時間が必要であった。
【００１１】
一方、患者は長期間に渡る矯正治療中、歯の裏側にワイヤという異物を抱え込むことになるので、それが食事や発声の邪魔にならないように極力を歯から突出しないようにすることが望まれる。しかしながら、前記従来技術のワイヤは前歯箇所において湾曲形状となっているので、歯の裏側に固定したブラケット間において湾曲を構成する弧が歯側に必要以上に突出し、それが歯に当たらないようにブラケットを舌側に後退する結果ワイヤの歯からの突出が大きくなってしまうという問題があった。
【課題を解決するための手段】
【００１２】
この発明は前記の問題を解消することを目的としたものであり、歯列矯正用ワイヤを歯の舌側面に固定したブラケットに組み込む山型状の歯列矯正用ワイヤにおいて、２個以上の歯のブラケットを一つのグループとして直線で結び、隣接する各グループの直線間に屈曲角部を配することにより山型を構成したことを特徴とする。
【００１３】
請求項２記載の発明においては前記の歯列矯正用ワイヤにおいて、左右の各中切歯のそれぞれに固定したブラケットを前方第１グループ、左方の側切歯と犬歯のそれぞれに固定したブラケットを左方第１グループ、左方の小臼歯、大臼歯のそれぞれに固定したブラケットを左方第２グループ、右方の側切歯と犬歯のそれぞれに固定したブラケットを右方第１グループ、右方の小臼歯、大臼歯のそれぞれに固定したブラケットを右方第２グループとし、各グループ間のブラケットを直線で結ぶとともに、隣接する各グループの直線間に屈曲角部を配することにより山型を構成したことを特徴とする。
【００１４】
請求項３記載の発明においては前記の歯列矯正用ワイヤにおいて、左方の中切歯と側切歯のそれぞれに固定したブラケットを左方第１グループ、左方の犬歯、小臼歯、大臼歯のそれぞれに固定したブラケットを左方第２グループ、右方の中切歯と側切歯のそれぞれに固定したブラケットを右方第１グループ、右方の犬歯、小臼歯、大臼歯のそれぞれに固定したブラケットを右方第２グループとし、各グループ間のブラケットを直線で結ぶとともに、隣接する各グループの直線間に屈曲角部を配することにより山型を構成した特徴とする。
【発明の効果】
【００１５】
以上の構成よりなるこの発明の歯列矯正用ワイヤによれば、２個以上の歯のブラケットを一つのグループとして直線で結び、隣接する各グループの直線間に屈曲角部を配するので、ワイヤの太さを変えたり形を変えたりする調整作業時にこの屈曲角部が形状の基準点、すなわち手がかりとなるので、経験や勘に頼らずとも作業を客観的な数値に基づいて短時間で行うことが可能となる。これに対し、従来技術のワイヤは湾曲形状なのでこのような基準点を持ちようがなかった。
【００１６】
また、前歯箇所において２つの歯の間においてワイヤは直線状となるので、従来技術のワイヤのように湾曲を構成する弧が歯側に必要以上に突出することがなく、ワイヤの歯からの突出を可及的に少なくすることが可能となる。
【００１７】
以上の構成よりなるこの発明の歯列矯正用ワイヤによれば、ワイヤを矯正の目的に合った所望の形状に屈曲して調整する作業が容易となるだけでなく、長期間に渡る矯正治療中にワイヤが患者に違和感を与えることが防止される。
【図面の簡単な説明】
【００１８】
【図１】この発明の歯列矯正用ワイヤの第１実施例の平面図。
【図２】同上使用方法を示す平面図。
【図３】同上使用方法を示す平面図。
【図４】この発明の歯列矯正用ワイヤの第２実施例の平面図。
【図５】同上使用方法を示す平面図。
【図６】同上使用方法を示す平面図。
【発明を実施するための最良の形態】
【００１９】
図１〜図３はこの発明の歯列矯正用ワイヤの第１実施例を示す図である。図中符号Ｔは歯である。
【００２０】
図中符号１は歯列矯正用ワイヤを指し、このワイヤは復元力を有する金属線などの公知の素材を所望の形状に折り曲げることにより得られる。
【００２１】
この実施例においては、左方の中切歯Ｌ１と側切歯Ｌ２のそれぞれに固定したブラケットＢを左方第１グループ、左方の犬歯Ｌ３、小臼歯Ｌ４−Ｌ５、大臼歯Ｌ６−Ｌ７のそれぞれに固定したブラケットを左方第２グループ、右方の中切歯Ｒ１と側切歯Ｒ２のそれぞれに固定したブラケットＲを右方第１グループ、右方の犬歯Ｒ３、小臼歯Ｒ４−Ｒ５、大臼歯Ｒ６−Ｒ７のそれぞれに固定したブラケットＲを右方第２グループとし、各グループ間のブラケットを直線１１で結ぶとともに、隣接する各グループの直線間に屈曲角部１０を配することにより山型を構成した歯列矯正用ワイヤ１としている。
【００２２】
図４〜図６はこの発明の歯列矯正用ワイヤの第２実施例を示す図である。図中符号Ｔは歯である。
【００２３】
この実施例においては、左右の各中切歯Ｌ１−Ｒ１のそれぞれに固定したブラケットＢを前方第１グループ、左方の側切歯Ｌ２と犬歯Ｌ３のそれぞれに固定したブラケットを左方第１グループ、左方の小臼歯Ｌ４−Ｌ５、大臼歯Ｌ６−Ｌ７のそれぞれに固定したブラケットを左方第２グループ、右方の側切歯Ｒ２と犬歯Ｒ３のそれぞれに固定したブラケットを右方第１グループ、右方の小臼歯Ｒ４−Ｒ５、大臼歯Ｒ６−Ｒ７のそれぞれに固定したブラケットを右方第２グループとし、各グループ間のブラケットを直線２１で結ぶとともに、隣接する各グループの直線間に屈曲角部２０を配することにより山型を構成した歯列矯正用ワイヤ２としている。
【符号の説明】
【００２４】
Ｂ                  ブラケット
Ｔ                  歯
１                  第１実施例のワイヤ
１０                第１実施例のワイヤの屈曲角部
１１                第１実施例のワイヤの直線
２                  第２実施例のワイヤ
２０                第２実施例のワイヤの屈曲角部
２１                第２実施例のワイヤの直線
【図１】
2016198503.tif 000003
【図２】
2016198503.tif 000004
【図３】
2016198503.tif 000005
【図４】
2016198503.tif 000006
【図５】
2016198503.tif 000007
【図６】
2016198503.tif 000008